(57)【要約】【課題】鉄筋組み立て作業に於いて、型枠作業と断熱材施工と補強組み立てとを単純作業で一度に行うことができる型枠連結具を提供する【解決手段】縦板４と、縦板４の裏面における上下方向中心位置に連設された水平板５と、水平板５の後方部６を残して水平板５に連接され、縦板４に対して平行な上方板７と下方板８とを備え、水平板５には、縦板４と上方板７及び下方板８との間に、開口部９，９が開穿され、水平板５の後方部６には、スペーサー用孔１０が開穿されている連結具体２と、所定長さの鉄棒１３の両端に下方に向け折り曲げ形成した外・内の挿入部１４，１４を有するスペーサー３とから構成され、外・内の連結具体２，２における夫々の水平板５，５を対向するよう配置し、スペーサー３の挿入部１４，１４をスペーサー用孔１０，１０に挿入して外・内の連結具体２，２を連結する型枠連結具１を提供する。【選択図】図１
2008255583.tif 000002
【特許請求の範囲】
【請求項１】
縦板と、前記縦板の裏面における上下方向中心位置に連設された水平板と、前記水平板の後方部を残して前記水平板に連接され、前記縦板に対して平行な上方板と下方板とを備え、前記水平板には、前記縦板と前記上方板及び前記下方板との間に、コンクリートが流通できる開口部が開穿され、前記水平板の前記後方部には、スペーサー用孔が開穿されている連結具体と、
所定長さの鉄棒の両端に下方に向け折り曲げ形成された外・内の挿入部を有するスペーサーとから構成され、
前記外・内の連結具体における夫々の水平板を対向するよう配置し、前記スペーサーの挿入部を前記スペーサー用孔に挿入して前記外・内の連結具体を連結するように構成されていることを特徴とする型枠連結具。
【請求項２】
前記連結具体は、前記水平板の上面の中心に、前記縦板と上方板とを連結する補強連結板が張設され、前記水平板の下面の中心に、前記縦板と下方板とを連結する補強連結板が張設されていることを特徴とする請求項１記載の型枠連結具。
【請求項３】
中心となる型枠用板に対して上下左右に連結されるべき型枠用板を請求項１記載の型枠連結具における前記縦板と上方板との間に形成される隙間から成る板挟持部に挟持させると共に、前記縦板と下方板との間に形成される隙間から成る板挟持部に他の型枠用板を挟持させて型枠用板どうしを連結し外側型枠体を形成する第１の工程と、
同様に前記縦板と上方板との間に形成される隙間から成る板挟持部に前記型枠用板を挟持させると共に、前記縦板と下方板との間に形成される隙間から成る板挟持部に他の型枠用板を挟持させて型枠用板どうしを連結し内側型枠体を形成する第２の工程と、
前記外側型枠体と前記内側型枠体とを対峙させ、対峙する外側の前記型枠連結具と内側の前記型枠連結具とを前記スペーサーで連結する第３の工程と、
前記第１乃至第３の工程を繰り返して上下左右に前記型枠用板が連結された壁面用型枠を形成する第４の工程とから成ることを特徴とする壁面用型枠の形成方法。
【請求項４】
請求項３記載の壁面用型枠の形成方法によって形成した壁面用型枠の前記外側型枠体と内側型枠体間に、所定の配筋を施工した後、コンクリートを打設して壁面を形成することを特徴とする壁面の形成方法。
【請求項５】
布基礎を形成する第５の工程と、
前記布基礎の上面に、請求項３記載の壁面用型枠の形成方法によって壁面用型枠を形成する第６の工程と、
コンクリート打設の際に前記壁面用型枠が変形し膨大する弊害を防ぐため、前記壁面用型枠を補強するための水平補助材及び垂直補助材を添設し、前記水平補助材及び垂直補助材を連結する連結材を配設する第７の工程と、
前記壁面用型枠にコンクリートを打設して壁面を得る第８の工程と、
前記壁面と連結した状態で砂利を敷き詰めた上に土間コンクリートを打設する第９の工程と、
前記壁面の上端に天井用スラブを張設する第１０の工程と、
内部の仕切り壁を形成する第１１の工程と、
前記コンクリートの硬化を待って、前記連結材、水平補助材及び垂直補助材を取り除く第１２の工程とから一階建て建築物を建築することを特徴とする建築物の建築方法。
【請求項６】
請求項５に記載される建築物の建築方法に於ける第５乃至第９の工程と、
前記壁面の上端に二階用スラブを張設する第１３の工程と、
一階内部の仕切り壁を形成する第１４の工程と、
前記第８の工程によって打設された前記コンクリートの硬化を待って、前記連結材、水平補助材及び垂直補助材を取り除く第１５の工程と、
前記二階用スラブの上面に、請求項３記載の壁面用型枠の形成方法及び請求項４記載の壁面の形成方法によって壁面を形成する第１６の工程と、
前記壁面の上端に二階用天井面を設ける第１７の工程と、
二階内部の仕切り壁を形成する第１８の工程と、
前記第１６の工程で打設した前記コンクリートの硬化を待って、前記連結材、水平補助材及び垂直補助材を取り除く第１９の工程とから二階建て建築物を建築することを特徴とする建築物の建築方法。
【発明の詳細な説明】
【技術分野】
【０００１】
本発明は、鉄筋組み立て作業に於いて、型枠作業と断熱材施工と補強組み立てとを単純作業で一度に行うことができる型枠連結具、壁面用型枠の形成方法、壁面の形成方法及び建築物の建築方法に関する。
【背景技術】
【０００２】
従来のこの種の技術は、例えば、大工が、現場作業に於いて、型枠を組み立て、単管などで型枠を補強するのが一般的である。
従って、大工が作業しないと、型枠、単管などの組み立てができないという問題が発生する。
これに関する先行技術文献として、例えば、下記の特許文献１がある。特許文献１は、基礎地盤上の所定位置毎に型枠連結具を夫々設置し、型枠連結具に設けた挿入溝に型枠板が装着されると共に、型枠連結具に設けた挿入孔を介してアンカー杭を地盤中に打ち込み型枠を固定するものである。
【特許文献１】特開平１０−３７２０７号公報
【発明の開示】
【発明が解決しようとする課題】
【０００３】
前述したように、従来の技術に於いては、大工が、現場作業に於いて、型枠を組み立て、単管などで型枠を補強するのが一般的であり、大工が作業しないと、型枠、単管などの組み立てができないという問題がある。そこで、大工がいなくても型枠の組み立て作業等が行なえるようにすることが望まれている。
尚、特許文献１は、前記問題点を解決するものではない。
【０００４】
以上の現状に鑑み、本発明は、鉄筋組み立て作業に於いて、型枠作業と断熱材施工と補強組み立てとを単純作業で一度に行うことができる型枠連結具、壁面用型枠の形成方法、壁面の形成方法及び建築物の建築方法を提供することを目的とする。
【課題を解決するための手段】
【０００５】
上記の課題を解決すべく、本発明は以下の構成を提供する。
請求項１に係る発明は、縦板と、前記縦板の裏面における上下方向中心位置に連設された水平板と、前記水平板の後方部を残して前記水平板に連接され、前記縦板に対して平行な上方板と下方板とを備え、前記水平板には、前記縦板と前記上方板及び前記下方板との間に、コンクリートが流通できる開口部が開穿され、前記水平板の前記後方部には、スペーサー用孔が開穿されている連結具体と、
所定長さの鉄棒の両端に下方に向け折り曲げ形成された外・内の挿入部を有するスペーサーとから構成され、
前記外・内の連結具体における夫々の水平板を対向するよう配置し、前記スペーサーの挿入部を前記スペーサー用孔に挿入して前記外・内の連結具体を連結するように構成されていることを特徴とする型枠連結具を提供するものである。
【０００６】
請求項２に係る発明は、前記連結具体は、前記水平板の上面の中心に、前記縦板と上方板とを連結する補強連結板が張設され、前記水平板の下面の中心に、前記縦板と下方板とを連結する補強連結板が張設されていることを特徴とする型枠連結具を提供するものである。
【０００７】
請求項３に係る発明は、中心となる型枠用板に対して上下左右に連結されるべき型枠用板を請求項１記載の型枠連結具における前記縦板と上方板との間に形成される隙間から成る板挟持部に挟持させると共に、前記縦板と下方板との間に形成される隙間から成る板挟持部に他の型枠用板を挟持させて型枠用板どうしを連結し外側型枠体を形成する第１の工程と、
同様に前記縦板と上方板との間に形成される隙間から成る板挟持部に前記型枠用板を挟持させると共に、前記縦板と下方板との間に形成される隙間から成る板挟持部に他の型枠用板を挟持させて型枠用板どうしを連結し内側型枠体を形成する第２の工程と、
前記外側型枠体と前記内側型枠体とを対峙させ、対峙する外側の前記型枠連結具と内側の前記型枠連結具とを前記スペーサーで連結する第３の工程と、
前記第１乃至第３の工程を繰り返して上下左右に前記型枠用板が連結された壁面用型枠を形成する第４の工程とから成ることを特徴とする壁面用型枠の形成方法を提供するものである。
【０００８】
請求項４に係る発明は、請求項３記載の壁面用型枠の形成方法によって形成した壁面用型枠の前記外側型枠体と内側型枠体間に、所定の配筋を施工した後、コンクリートを打設して壁面を形成することを特徴とする壁面の形成方法を提供するものである。
【０００９】
請求項５に係る発明は、布基礎を形成する第５の工程と、
前記布基礎の上面に、請求項３記載の壁面用型枠の形成方法によって壁面用型枠を形成する第６の工程と、
コンクリート打設の際に前記壁面用型枠が変形し膨大する弊害を防ぐため、前記壁面用型枠を補強するための水平補助材及び垂直補助材を添設し、前記水平補助材及び垂直補助材を連結する連結材を配設する第７の工程と、
前記壁面用型枠にコンクリートを打設して壁面を得る第８の工程と、
前記壁面と連結した状態で砂利を敷き詰めた上に土間コンクリートを打設する第９の工程と、
前記壁面の上端に天井用スラブを張設する第１０の工程と、
内部の仕切り壁を形成する第１１の工程と、
前記コンクリートの硬化を待って、前記連結材、水平補助材及び垂直補助材を取り除く第１２の工程とから一階建て建築物を建築することを特徴とする建築物の建築方法を提供するものである。
【００１０】
請求項６に係る発明は、請求項５に記載される建築物の建築方法に於ける第５乃至第９の工程と、
前記壁面の上端に二階用スラブを張設する第１３の工程と、
一階内部の仕切り壁を形成する第１４の工程と、
前記第８の工程によって打設された前記コンクリートの硬化を待って、前記連結材、水平補助材及び垂直補助材を取り除く第１５の工程と、
前記二階用スラブの上面に、請求項３記載の壁面用型枠の形成方法及び請求項４記載の壁面の形成方法によって壁面を形成する第１６の工程と、
前記壁面の上端に二階用天井面を設ける第１７の工程と、
二階内部の仕切り壁を形成する第１８の工程と、
前記第１６の工程で打設した前記コンクリートの硬化を待って、前記連結材、水平補助材及び垂直補助材を取り除く第１９の工程とから二階建て建築物を建築することを特徴とする建築物の建築方法を提供するものである。
【発明の効果】
【００１１】
本発明の請求項１記載の発明によれば、鉄筋組み立て作業に於いて、型枠作業と断熱材施工と補強組み立てとを単純作業で一度に行うことができる型枠連結具を提供することができる。
又、請求項２記載の発明によれば、補強連結板によって補強された型枠連結具を提供することができる。
請求項３記載の発明によれば、鉄筋組み立て作業に於いて、型枠作業と断熱材施工と補強組み立てとを単純作業で一度に行うことができる壁面用型枠の形成方法を提供することができる。
【００１２】
請求項４記載の発明によれば、鉄筋組み立て作業に於いて、型枠作業と断熱材施工と補強組み立てとを単純作業で一度に行うことができる壁面の形成方法を提供することができる。
請求項５記載の発明によれば、鉄筋組み立て作業に於いて、型枠作業と断熱材施工とを単純作業で一度に行うことができる一階建て建築物の建築方法を提供することができる。
請求項６記載の発明によれば、鉄筋組み立て作業に於いて、型枠作業と断熱材施工と補強組み立てとを単純作業で一度に行うことができる二階建て建築物を建築する建築物の建築方法を提供することができる。
【発明を実施するための最良の形態】
【００１３】
以下、実施例を示した図面を参照しつつ本発明の実施の形態を説明する。
本発明の第１実施例は、建築物（住宅）の壁面用型枠を構成するのに好適な型枠連結具である。
本発明の第２実施例は、第１実施例の型枠連結具を用いた壁面用型枠の形成方法である。
本発明の第３実施例は、第２実施例で得た壁面用型枠を用いた壁面の形成方法である。
本発明の第４実施例は、第３実施例の壁面用型枠を用いた建築物の建築方法である。
【００１４】
本発明の第１実施例の壁面用型枠を形成するのに好適な型枠連結具１を説明する。
図１に於いて、１は型枠連結具であり、型枠連結具１の構成は、外・内一対の連結具体２，２及びスペーサー３からなる。
連結具体２は、図２に示す如く、正面視略方形の縦板４と、縦板４の裏面における上下方向中心位置に連設された水平板５と、水平板５の後方部６を残して水平板５に連接され、縦板４に対して平行な上方板７と下方板８とを備え、水平板５には、縦板４と上方板７及び下方板８との間に、コンクリートが流通できる２個の開口部９，９が開穿され、水平板５の後方部６には、スペーサー用孔１０が開穿されている。
図２中、１１，１１は、型枠用板１２，１２を挟持するため、縦板４と上方板７との間或いは縦板４と下方板８との間に形成された隙間から成る上・下の板挟持部であるが、その寸法は、図１に示す、使用する型枠用板１２の厚さＷに対応するよう決定されている。
【００１５】
スペーサー３は、所定長さＬの異型筋などの鉄棒１３と、その両端に下方に向け折り曲げ形成した外・内の挿入部１４，１４とから構成されている。鉄棒１３の長さＬは、形成しようとする建築物の壁の厚さに応じて決定される。
【００１６】
前記外・内一対の連結具体２，２とスペーサー３の連結方法は次のとおりである。
外・内の連結具体２，２における夫々の水平板５，５を対向するよう配置し、スペーサー３の挿入部１４，１４をスペーサー用孔１０，１０に挿入して外・内の連結具体２，２を連結する。
【００１７】
次に、本発明の第２実施例の壁面用型枠２１の形成方法を説明する。
壁面用型枠２１は、外・内一対の型枠連結具１，１と発泡スチロールで形成された外・内一対の型枠用板１２，１２から成るが、その形成方法は下記工程からなる。
（１）第１工程（外側型枠体２２の形成）
中心となる型枠用板１２に対して上下左右に連結されるべき型枠用板１２，１２…を外側に配設する外側型枠連結具１における板挟持部１１を用いて（板挟持部１１に挟持させて）連結し外側型枠体２２を得る。
（２）第２工程（内側型枠体２３の形成）
中心となる型枠用板１２に対して上下左右に連結されるべき枠用板１２，１２…を内側に配設する内側型枠連結具1における板挟持部１１を用いて（板挟持部１１に挟持させて）連結し外側型枠板２２と同寸法の内側型枠体２３を得る。
（３）第３工程（外・内側型枠体２２，２３の組み合わせ）
外側型枠体２２と内側型枠体２３とを対峙させ、対峙する外側型枠連結具1と内側型枠連結具1とをスペーサー３で連結する。
（４）第４工程（壁面用型枠２１の形成）
前記第１行程乃至第３工程を繰り返して外側型枠体２２及び内側型枠体２３を上下左右方向に延設し、壁面用型枠２１を形成する。
【００１８】
次に、本発明の第３実施例の壁面３９の形成方法を図３に従って説明する。
第３実施例の壁面３９の形成方法は、前述した第２実施例の壁面用型枠２１の形成方法における第１工程乃至第４工程により形成した壁面用型枠２１の並立状態の外側型枠体２２と内側型枠体２３間に、必要な公知の配筋（図示略）を施工した後、コンクリート３８を打設するものである。
【００１９】
次に、本発明の第４実施例の建築物の建築方法を図３に従って説明する。
（Ａ）図３に示す一階建て建築物３１の場合の建築方法は次のとおりである。
（１）第１工程
公知の方法で布基礎３２を形成する。
（２）第２工程
布基礎３２の上面に、外・内一対の型枠連結具１，１…と外・内一対の型枠用板１２，１２…を用いて前述した第２実施例の壁面用型枠の形成方法で壁面用型枠２１を形成する。
尚、建築物３１の出入口、窓の形成を所望する箇所には、予め公知のサッシ枠３３等を取り付けておく。
そして、壁面用型枠２１を形成した後、図４に示す如く、後述のコンクリート打設の際に壁面用型枠２１が変形し膨大する弊害を防ぐため、壁面用型枠２１を補強するための水平補助材３４、垂直補助材３５を添設し、水平補助材３４、垂直補助材３５の任意の位置に連結材３６をビス３７等で止める。図５は、水平補助材３４、垂直補助材３５及び連結材３６が添設された壁面用型枠２１を示す。
（３）第３工程
次に、図３に示す如く、壁面用型枠２１の並立状態の外側型枠体２２と内側型枠体２３間に、必要な公知の配筋（図示略）を施工した後、コンクリート３８を打設して、壁面３９を得る。
次に、壁面３９と連結した状態で砂利４０を敷き詰めた上に土間コンクリート４１を打設する。
（４）第４工程
壁面３９の上端に、公知の方法で天井用スラブ４２を張設する。図６で示す内部の仕切り壁４３は、公知の方法で形成する。コンクリート３８の硬化を待って、連結材３６、水平補助材３４及び垂直補助材３５を取り除く。
【００２０】
（Ｂ）図７に示す二階建立て建築物５１の場合の建築方法は次のとおりである。
（１）第１工程
公知の方法で布基礎３２を形成する。
（２）第２工程
布基礎３２の上面に、外・内一対の型枠連結具１，１…と外・内一対の型枠用板１２，１２…を用いて本発明の第２実施例の壁面用型枠の形成方法により壁面用型枠２１を形成する。
尚、建築物５１の出入口、窓の形成を所望する箇所には、予め公知のサッシ枠３３，３３…等を取り付けておく。
そして、壁面用型枠２１を形成した後、コンクリート３８打設の際に壁面用型枠２１が変形し膨大する弊害を防ぐため、図８に示す如く、壁面用型枠２１を補強するための水平補助材３４、垂直補助材３５を添設し、水平補助材３４、垂直補助材３５の任意の位置に連結材３６をビス等で止める。図９，１０は、水平補助材３４、垂直補助材３５及び連結材３６が添設された壁面用型枠２１を示す。
【００２１】
（３）第３工程
次に、図８に示す如く、壁面用型枠２１の並立状態の外側型枠体２２と内側型枠体２３間に、必要な公知の配筋（図示略）を施工した後、コンクリート３８を打設して壁面３９を得る。
次に、図７に示す如く、壁面３９と連結した状態で砂利４０を敷き詰めた上に土間コンクリート４１を打設する。
（４）第４工程
壁面３９の上端に、公知の方法で二階用スラブ５２を張設する。図６で示す如き二階内部の仕切り壁４３は、公知の方法で形成する。コンクリート３８の硬化を待って連結材３６、水平補助材３４及び垂直補助材３５は取り除く。
【００２２】
（５）第５工程
第４工程で張設した二階用スラブ５２の上面に、第２工程と同様に外・内一対の型枠連
結具１，１…と外・内一対の型枠用板１２，１２…を用いて壁面用型枠２１を形成する。
尚、建築物５１の出入口、窓の形成を所望する箇所には、予め公知のサッシ枠３３等を取り付けておく。
そして、壁面用型枠２１を形成した後、後述のコンクリート打設の際に壁面用型枠２１が変形し膨大する弊害を防ぐため、図８に示す壁面用型枠２１を補強するための水平補助材３４、垂直補助材３５を添設し、水平補助材３４、垂直補助材３５の任意の位置に連結材３６をビス等で止める。
第２工程及び第３工程と同様に壁面用型枠２にコンクリート３８を打設して、壁面３９を得る。壁面３９の上端には、公知の方法で二階用スラブ５２と同様構造の二階用天井面５３を設ける。
尚、図６で示すような二階内部の仕切り壁４３は、公知の方法で形成する。そして、コンクリート３８の硬化を待って、連結材３６、水平補助材３４及び垂直補助材３５を取り除く。
【００２３】
又、前記第１乃至５工程で、図７及び図１１に示す建築物５１を得るが、必要に応じてさらに下記施工を行う。
（イ）図１２に示す如く、二階用天井面５３の上面に、発泡スチロール板５４を接着等により敷設した後、公知の屋根５５を施工する。
（ロ）公知の方法で建築物５１の内装材及び外装材を施工する。この場合、外装材と建築物５１の外周面との間に、外気が下方から上方に抜ける公知の通気層（図示略）を設けることができる。
【００２４】
図１３に於いて、６１は、本発明の第１実施例の前記連結具体（図２に於いて２）の変形例を示す連結具体を示し、連結具体６１は、前記連結具体（図２に於いて２）の水平板５の上面の中心に、縦板４と上方板７とを連結する補強連結板６２が張設され、水平板５の下面の中心に、縦板４と下方板８とを連結する補強連結板６２が張設されたものである。
補強連結板６２，６２によって、連結具体６１が補強される。
尚、前記連結具体６１を用いて型枠用板１２を連結する場合、当該型枠用板１２に補強連結板６２が入る切り込み６３を現場作業で刻設する。
【図面の簡単な説明】
【００２５】
【図１】本発明による壁面用型枠の分解斜視図である。
【図２】（ａ）本発明による連結具体の背面図である。（ｂ）本発明による連結具体の側面図である。（ｃ）本発明による連結具体の平面図である。（ｄ）本発明による連結具体の斜視図である。
【図３】本発明による一階建て建築物の施工状態を示す正面縦断面図である。
【図４】図３の要部拡大図である。
【図５】本発明による一階建て建築物の施工状態を示す正面図である。
【図６】本発明による一階建て建築物の施工状態を示す平面断面図である。
【図７】本発明による二階建て建築物の完成時における壁面用型枠の正面縦断面図である。
【図８】本発明による二階建て建築物の施工状態を示す正面縦断面図である。
【図９】本発明による二階建て建築物の施工状態を示す正面図である。
【図１０】本発明による二階建て建築物の施工状態を示す斜視図である。
【図１１】本発明による二階建て建築物の完成時における壁面用型枠の状態を示す正面図である。
【図１２】本発明による二階建て建築物の完成時における壁面用型枠の屋上形状を示す正面縦断面図である。
【図１３】（ａ）本発明の第１実施例の変形例の連結具体の背面図である。（ｂ）本発明の第１実施例の変形例の連結具体の側面図である。（ｃ）本発明の第１実施例の変形例の連結具体の平面図である。（ｄ）本発明の第１実施例の変形例の連結具体の斜視図である。（ｅ）本発明の第１実施例の変形例の連結具体に対応させて切り込みを形成した型枠用板の斜視図である。
【符号の説明】
【００２６】
１  型枠連結具
２  連結具体
３  スペーサー
４  縦板
５  水平板
６  後方部
７  上方板
８  下方板
９  開口部
１０  スペーサー用孔
１１  板挟持部
１２  型枠用板
１３  鉄棒
１４  挿入部
２１  壁面用型枠
２２  外側型枠体
２３  内側型枠体
３１  一階建て建築物
３２  布基礎
３３  サッシ枠
３４  水平補助材
３５  垂直補助材
３６  連結材
３８  コンクリート
３９  壁面
４０  砂利
４１  土間コンクリート
４２  天井用スラブ
４３  仕切り壁
５１  二階建立て建築物
５２  二階用スラブ
５３  二階用天井面
６１  連結具体
６２  補強連結板
【図１】
2008255583.tif 000003
【図２】
2008255583.tif 000004
【図３】
2008255583.tif 000005
【図４】
2008255583.tif 000006
【図５】
2008255583.tif 000007
【図６】
2008255583.tif 000008
【図７】
2008255583.tif 000009
【図８】
2008255583.tif 000010
【図９】
2008255583.tif 000011
【図１０】
2008255583.tif 000012
【図１１】
2008255583.tif 000013
【図１２】
2008255583.tif 000014
【図１３】
2008255583.tif 000015